(57)【要約】【課題】和弓を練習する射手が、自ら発しようとしている矢の向く方向を自分自身で確認できる照準器を提供する。【解決手段】和弓５にレーザ光線放射ユニット９を回動自在に装着し、当該ユニットと弦７上の適宜の位置とをゴム紐１０によって連結することによって、レーザ光線の放射方向を矢４の向く方向に指向させると共に、レーザ発振器２６への電力を連通遮断する開閉器２９の作用によって、弓５がある程度引かれた時にレーザ光線が放射されるようにした。【選択図】    図１
2004163074.tif 000002
【特許請求の範囲】
【請求項１】
和弓の把持部近傍に回動自在に装着したレーザ光線放射ユニットと、当該レーザ光線放射ユニットに一体的に収納されたレーザ発振器と当該レーザ発振器への電力を連通遮断する開閉器と、当該開閉器の切替作用をする切替ロッドの一端と弓の弦とを適宜な位置で連結するとともに前記レーザ発振器からのレーザ光線の放射方向と矢の飛ぶ方向とを同一方向へ指向するように設けた伸縮自在のゴム紐と、前記レーザ光線放射ユニットに電力を供給するように結線される電源部とからなり、弓の弦が引張り状態になった時、前記ゴム紐を介して開閉器の切替ロッドが作用し、レーザ発振器に電力が供給されると、矢の飛ぶ方向と同一方向にレーザ発振器からレーザ光線が放射されるようにしたことを特徴とする和弓練習用の照準器。
【発明の詳細な説明】
【０００１】
【発明の属する技術分野】
本発明は、レーザ発振器を利用して日本の弓における射の技量を高めるのに役立てる練習用の照準器に関するものである。
【０００２】
【従来の技術】
従来、日本の弓（以下和弓と言う）においては、伝統的な射法（形）によって矢を射ようとする場合、射手は自身が発しようとしている矢の向いている方向を自分の目で確認できないようになっている。和弓での照準となるものは、基本的に人体の構造（骨格、関節、筋肉）においており、定められた射法（形）に従って弓を引く時、弓の左側面で的を二分する位置（半月の狙いと言う）に構えることによって、的の左右方向に対する狙いを定めることで、矢を的の中心方向に向けるようにしている。
【０００３】
実際には、射手によって身体構造に個人差があり、又、習熟の度合いによっても違いが生じ、指導者に適宜その狙いと射形を確認したり修正してもらうため、弓道においては、一人での練習は不可とされている理由の一つともなっている。
【０００４】
又、和弓の狙いと矢の着点の関係についてみるに、
和弓の幅は、約２７ｍｍあり、弦は、ほぼその中央に張られており、矢は、弓の右側面に接するように構えられる。従って、単純に弦を引張って、番えた矢が弓の右側面に接した状態で矢を発射すると、矢は、当初向いていた方向に飛ばず、右方向にずれてしまい、そのずれ量は、射程距離２８ｍの射場にあっては、約１．７ｍ程のずれがあると言われている。このため、矢の向いている方向に矢を飛ばすには、弓に捻り力を与えて矢の飛ぶ方向を修正するようにした角見（つのみ）を効かすというやり方がある。
【０００５】
このように、和弓には絶対的な狙い方がなく、前記の半月の狙いの他に、有明の狙いと言って、的が弓の幅の内に完全に収まる場合や、満月の狙いと言って、的が弓の幅から完全に外に外れている場合があるが、いずれの場合も、その時の射手には発しようとしている矢の向いている方向は、的の中心を向いている筈であると信じられているにすぎない。
【０００６】
更に、和弓の練習においては、指導者による適切な指導のタイミングと頻度が望まれているが、時として充分でない場合が生じると、矢の狙いがずれたことを認知し得ない練習中の射手は、自身の矢の向いている方向を正しいものと信じ、矢の着点に基づく検討から自分の狙いをずらし、「前離れ」とか「振込み」とか言われる悪癖を身に付けてしまう。その状態でも時としてかなりの高的中率を得る事もあるが、しかし、悪癖を身に付けてしまうと、射手は、その射法（形）が身体構造上何処かに不自然さを有し、何時の日か的中率が低下してきた時，その修正が難しくなってしまう恐れがある。
【０００７】
又、弓道は立禅とも言われるほどに精神的な要素を多分に持っているが、そのようなレベルに到達するためには、永い弓道の歴史の中で正しいとされてきた的に対する狙い方を正しく身に付けることが急望されている。
【０００８】
【発明が解決しようとする課題】
和弓での照準の定め方に関する基本的な認識として、弓道界で最も権威が認められている書籍の一つ「弓道教本第一巻（編集／発行  財団法人全日本弓道協会）」にも明記されているように、矢の発射直前、矢の向いている方向は的の中心であるべきとされている。又、他の書籍「詳説弓道（著者  小笠原清信，白石暁）」にも、その矢が向いている方向が的からずれていても充分に的中させることが可能であるが、これは「くせ弓」と評され修正すべしとされている。
【０００９】
従って、練習中の射手は、自身が発しようとしている矢の向く方向を、常に知りたいという願望を持っているが、自分の目で矢の向く方向を確認する簡易な手段が見当たらないという問題があった。
【００１０】
【課題を解決する手段】
そこで、上記課題を解決するために、本発明は次のような和弓練習用の手段としての照準器を提供するものである。
即ち，本発明は、和弓の把持部近傍に回動自在に装着したレーザ光線放射ユニットと、当該レーザ光線放射ユニットに一体的に収納されたレーザ発振器と当該レーザ発振器への電力を連通遮断する開閉器と、当該開閉器の切替作用をする切替ロッドの一端と弓の弦とを適宜な位置で連結するとともに前記レーザ発振器からのレーザ光線の放射方向と矢の飛ぶ方向とを同一方向へ指向するように設けた伸縮自在のゴム紐と、前記レーザ光線放射ユニットに電力を供給するように結線される電源部とからなり、弓の弦が引張り状態になった時、前記ゴム紐を介して開閉器の切替ロッドが作用し、レーザ発振器に電力が供給されると、矢の飛ぶ方向と同一方向にレーザ発振器からレーザ光線が放射されるようにする。
【００１１】
【発明の実施の形態】
発明の実施の形態を実施例に基づき図面を参照して説明する。
この和弓練習用の照準器１は、例えば図１（ａ）に示すように、射手２が、射場の射位に立ち的３を狙って矢４を発しようとする状況において機能を発揮する。即ち、レーザ光線放射ユニット９は、弓５の把持部６の近傍下方で射技を妨げない所に装着され、該ユニット９と弦７上の選定された連結点８とをゴム紐１０で連結してある。このゴム紐１０の最大張力は、弓５の張力（８０〜２５０Ｎ程度）に比し影響の少ない値（約４Ｎ）に設定してある。連結点８は、図１（ａ）に示す状況において、直進するレーザ光線が、的３に当たるように調整されている。矢４の飛跡は放物線を描いて飛ぶので、矢４を水平に発射すると、着点では１ｍ以上の高さの差があり、従って、弓５の強弱によって連結点８の位置を調整できるようになっている。電源部１１は、射技の障害にならないように腰の左側に装着され、電源コード１２、コネクタ１３を介してレーザ光線放射ユニット９に接続さている。コネクタ１３は、練習のために弓５を手に取る時に接続し、その他の時には切り離しておく必要があるので着脱容易になっている。又、弓５は矢４を発射した後、弓返りと言ってほぼ１８０度反転するので、電源コード１２はその分の余裕が見込まれている。
【００１２】
図１（ｂ）は、レーザ光線放射ユニット９の構成概要を説明する正面外観図であり、レーザ発振器２６と開閉器２９とを筒２４内で直列に且つ一体的に組み付けてあり、レーザ光線の放射方向に対して切替ロッド２５の突出方向は丁度逆側になるようにしてある。
【００１３】
図２は、レーザ光線放射ユニット９を弓５に装着した場合を説明するものであり、レーザ光線放射ユニット９は、後に詳述するように外部保持具２０に回動自在に組み付けられている。即ち、外部保持具２０は、市販の大型クリップ１４の一つのレバー１４ｂを移動可能に貫通させ、クリップ１４と一体的に構成されている。クリップ１４は、その締結部で弓５の表裏を弾性的に締め付け、外部保持具２０を着脱自在に弓５に装着できるようになっている。クリップ１４の締結部内面１４ｃには弓５の表面の保護と滑り止めのために、敷物（薄いゴム板）１５を敷いてあり、この敷物１５は鹿皮なども利用できる。外部保持具２０は、弓５の右側面２８に接するように配置されるが、使用する矢４の太さ（７〜９ｍｍ程度）に応じて選択されたスペーサ１７を外部保持具２０と弓５の右側面２８との間に挿入することによって照準の精度を高めることができる。又、弓５から矢４が発せられる時、外部保持具２０に作用する衝撃力の影響で、外部保持具２０がずれないように、レバー１４ａ、１４ｂを紐１９で締結してある。この紐１９は、輪ゴムを巻きつける程度でも充分である。尚、クリップ１４のもう一つのレバー１４ａは、外部保持具２０に形成されている溝１６に嵌め込まれ外部保持具２０を支えている。
【００１４】
図３（ａ）は、レーザ光線放射ユニット９が、外部保持具２０に回動自在に支えられている構造を説明するものであり、図３（ｂ）は図３（ａ）のＩ−Ｉ視外観図である。外部保持具２０は、ピン１８によって内部保持具２１を揺動可能に支え、内部保持具２１は、ピン２２によってレーザ光線放射ユニット９を遥動可能に支えるように設けてある。これによって、レーザ光線放射ユニット９は、切替ロッド２５の連結部２５ａに繋がれるゴム紐１０によって引かれる方向に向きを指向することができる。外部保持具２０の材料は木材を、又、内部保持具２１の材料は、アルミ材を用いて小型軽量化を図ってある。
【００１５】
図４は、レーザ光線放射ユニット９の詳細を示す断面図である。筒２４は、アルミ管を用いており、筒２４に開けられている穴３５は、図３で示したピン２２を貫通させて筒２４を保持するものであり、穴３４は、図３で示したピン１８を通すためのものである。レーザ発振器２６は、レーザ光線放射口２７が筒２４の一端側にくるように内装固定され、他端側内部には、開閉器２９が内装固定されており、レーザ光線の放射方向と開閉器２９の切替ロッド２５の突出方向とは１８０度反対方向となるように設けられている。レーザ発振器２６は直径７ｍｍの小型の市販品を用いている。レーザ光線の強度はクラス２であり、人体に対する影響は低いが、より安全性を期すために開閉器２９を組み込んである。この開閉器２９は、ある程度弓５を引いている時のみレーザ光線が放射されるようになっている。即ち、射手２が、射場の射位に立ち、そして弓５を構えた時（矢４の向く方向に人がいないことを確認する）、レーザ光線が放射される。レーザ発振器２６の通電コード３０ａは筒２４に開けた穴３１より外に引き出し雄コネクタ１３ａに接続してあり、他の通電コード３０ｃは、開閉器２９の一つの端子２９ａに接続されている。開閉器２９はスプリング３２によって切替ロッド２５を筒２４の内方向のストローク端に引き込んでおり、端子２９ａ、２９ｂは常時オフ状態となっている。切替ロッド２５は、ストローク２ｍｍ程度で端子２９ａ、２９ｂをオン状態としこの時のスプリングに作用する力は、２Ｎ程度となっている。切替ロッド２５の連結部２５ａは、ゴム紐１０に連結されている。端子２９ｂからの通電コード３０ｂは、筒２４の穴３３から外に引き出され雄コネクタ１３ａに接続されている。尚、雄コネクタ１３ａは、通電コード１２側に設けた図示しない雌コネクタと嵌着するようになっている。
【００１６】
【発明の効果】
本発明は、以上説明したように構成されているので、以下に記載されるような効果を奏する。
【００１７】
和弓の練習をする射手が、弓道場（射距離２８ｍの近的）の射位に立ち、本発明にかかる照準器を取り付けた弓に矢を番えて的を狙う時、弓の弦に連動して当該照準器より発するレーザ光線によって、射手は自身が発しようとしている矢の向く方向を自分自身で確認することができる。
【００１８】
又、この照準器は小型・軽量であることから和弓の練習をする射手にとって装着時の違和感が少なく、射手は必要な時必要な頻度で自分の射の内容を深く評価でき、練習の効果を高めることができ、その上に、前記の「クセ弓」と言われる悪癖に陥る危険を回避できる。
【００１９】
更に、この照準器は、弓の強さによらず，弓を捻る力の強弱によらず、矢の太さによらず、年間を通して何時でも指導者を煩わせることなく自分の矢の向く方向を自分自身で確認できるので、自信を持って練習を積み重ねることができる。
【００２０】
そして、弓は飛び道具であることから、矢を番えた時はもちろん、矢を番えない素引きの時でも、弓を引くときは必ず他人のいない方向に弓を向けることになっており、ある程度弓を引いた時のみレーザ光線が放射されるようにしてあるため、より安全性に優れ、しかも省エネにも役立てることができる。
【００２１】
又、本器の多くの部品は、市販品を利用する事で容易に、安価に製作し提供することができる。
【００２２】
尚、この照準器は射距離約２ｍの巻藁練習にも有効に利用できることは言うまでもない。
【図面の簡単な説明】
【図１】本発明にかかる和弓練習用の照準器を説明する図である。
【図２】レーザ光線放射ユニットを弓に装着する状態を説明する外観図である。
【図３】レーザ光線ユニットを回動自在に保持する構造を説明する外観図であり、図３ｂは図３ａのＩ−Ｉ視外観図である。
【図４】レーザ光線放射ユニットの正面断面図である。
【符号の説明】
１      照準器
４      矢
５      弓
６      把持部
７      弦
９      レーザ光線放射ユニット
１０      ゴム紐
１１      電源部
２５      切替ロッド
２６      レーザ発振器
２７      レーザ光線放射口
２９      開閉器
【図１】
2004163074.tif 000003
【図２】
2004163074.tif 000004
【図３】
2004163074.tif 000005
【図４】
2004163074.tif 000006